(57)【要約】【課題】端部が折り曲げ加工された成形体をさらに効率良く製造することが可能な技術を提供する。【解決手段】ワークの端部を折り曲げ加工して、前記端部が折り曲げ加工された成形体を製造する方法であって、前記ワークの折り曲げ位置に、前記ワークにおける前記端部以外の部分が加熱されることを抑制する遮熱板を当接させる遮熱板の配置工程と、前記遮熱板が当接した前記ワークの前記端部を、熱風ヒーターで加熱しつつ、赤外線ヒーターで加熱する加熱工程と、加熱された前記ワークの前記端部を折り曲げ加工する折り曲げ工程と、を含む、成形体の製造方法を提供する。【選択図】図３Ａ
2020062838.tif 000002
【特許請求の範囲】
【請求項１】
ワークの端部を折り曲げ加工して、前記端部が折り曲げ加工された成形体を製造する方法であって、
前記ワークの折り曲げ位置に、前記ワークにおける前記端部以外の部分が加熱されることを抑制する遮熱板を当接させる遮熱板の配置工程と、
前記遮熱板が当接した前記ワークの前記端部を、熱風ヒーターで加熱しつつ、赤外線ヒーターで加熱する加熱工程と、
加熱された前記ワークの前記端部を折り曲げ加工する折り曲げ工程と、を含む、成形体の製造方法。
【請求項２】
前記熱風ヒーターの吹き出し口及び前記赤外線ヒーターを、前記ワークの前記端部における折り曲げ加工が施される領域に沿って配置して、前記加熱工程を行う請求項１に記載の成形体の製造方法。
【請求項３】
前記赤外線ヒーターにハロゲンヒーターを用いる請求項１又は２に記載の成形体の製造方法。
【請求項４】
前記赤外線ヒーターによる熱を前記ワークの前記端部へ向けて反射する反射材をさらに用いる請求項１〜３のいずれか１項に記載の成形体の製造方法。
【請求項５】
前記折り曲げ工程は、前記ワークの前記折り曲げ位置から、前記端部を前記遮熱板に支持させて前記遮熱板の面に沿って折り曲げる工程を含む、請求項１〜４のいずれか１項に記載の成形体の製造方法。
【請求項６】
前記折り曲げ工程は、前記ワークの前記端部を押圧するブロックにより、前記ワークの前記折り曲げ位置から、前記端部を前記遮熱板に支持させて前記遮熱板の面に沿って折り曲げる１次折り曲げ工程と、
前記１次折り曲げ工程後、前記遮熱板を後退させ、前記１次折り曲げ工程で折り曲げられた前記端部を、前記ブロックでさらに折り曲げて折り返す２次折り曲げ工程と、
を含む、請求項１〜５のいずれか１項に記載の成形体の製造方法。
【請求項７】
ワークの端部を折り曲げ加工して、前記端部が折り曲げ加工された成形体を製造する装置であって、
前記ワークの前記端部を加熱する加熱ユニットと、
前記加熱ユニットによる加熱時に前記ワークの折り曲げ位置に当接して前記ワークにおける前記端部以外の部分が加熱されることを抑制する遮熱板を含む遮熱ユニットと、を備えており、
前記加熱ユニットは、前記遮熱板が当接した前記ワークの前記端部を加熱する熱風ヒーターと、前記熱風ヒーターによる加熱と並行して前記ワークの前記端部を加熱する赤外線ヒーターとを含む、成形体の製造装置。
【請求項８】
前記加熱ユニットにおける前記熱風ヒーターの吹き出し口と前記赤外線ヒーターとが、前記ワークの前記端部における折り曲げ加工が施される領域に沿って配置可能に並べて設けられている請求項７に記載の成形体の製造装置。
【請求項９】
前記加熱ユニットは、前記赤外線ヒーターとして、ハロゲンヒーターを含む請求項７又は８に記載の成形体の製造装置。
【請求項１０】
前記加熱ユニットは、前記赤外線ヒーターによる熱を前記ワークの前記端部へ向けて反射する反射材を含む請求項７〜９のいずれか１項に記載の成形体の製造装置。
【請求項１１】
前記加熱ユニットは、前記赤外線ヒーターとして、前記反射材としての反射膜が設けられたハロゲンヒーターを含む請求項１０に記載の成形体の製造装置。
【請求項１２】
前記加熱ユニットで加熱された前記ワークの前記端部を押圧することにより折り曲げるブロックを含む折り曲げユニットをさらに備える請求項７〜１１のいずれか１項に記載の成形体の製造装置。
【発明の詳細な説明】
【技術分野】
【０００１】
本発明は、成形体の製造方法及び製造装置に関し、より詳しくは、ワークの端部を折り曲げ加工して、端部が折り曲げ加工された成形体を製造する方法及び装置に関する。
【背景技術】
【０００２】
自動車等の車両におけるルーフパネルの室内面側には、天井に貼る内装材（天井内張り）として、樹脂シート等のシート材を含む成形体で形成された成形天井が装着されていることが多い。この成形天井は、ルーフパネルの室内面側を覆う寸法及び形状に形成されることから、サンルーフを備える車両に装着される成形天井の場合には、サンルーフを設けるための開口部が形成されている。その成形天井の開口部の周縁部の下方側は、室内に露出するため、意匠性の観点から、折り曲げ加工等の処理を施すことが行われている。
【０００３】
例えば特許文献１には、ワークの端部を加熱手段により加熱する加熱工程と、第１ブロックが押圧することにより前記ワークの端部を略垂直に折り曲げる１次折曲工程と、第２ブロックが押圧することにより前記略垂直に折り曲げられた部位を更に折り曲げて折り返す２次折曲工程と、を備えた成形体の製造方法に関する発明が開示されている。特許文献１では、上記加熱手段として、ヒータブロックのようにワークに直接接触して加熱する加熱部材が記載されている。
【０００４】
また、例えば特許文献２には、所定構成の積層成形品の開口周縁部に沿って設けられた巻き込み条片の裏面側に対して、熱風ノズルから所定温度の熱風を吹き付けた後、巻き込み条片を巻き込み駒の動作により裏面側に巻き込む、積層成形品の端末処理方法に関する発明が開示されている。
【先行技術文献】
【特許文献】
【０００５】
【特許文献１】特開２０１０−５２４００号公報
【特許文献２】特開２０１３−５２５６３号公報
【発明の概要】
【発明が解決しようとする課題】
【０００６】
上述の特許文献１及び２に開示されたような技術によって、綺麗な仕上がりにて折り曲げ加工（以下、巻き込み加工も含む）が施された端部を有する成形体を製造することができる。一方、ワークの端部を折り曲げ加工して、端部が折り曲げ加工された成形体を製造する技術においては、さらに効率良く製造することができる技術が望まれている。
【０００７】
そこで本発明は、端部が折り曲げ加工された成形体をさらに効率良く製造することが可能な技術を提供しようとするものである。
【課題を解決するための手段】
【０００８】
本発明は、ワークの端部を折り曲げ加工して、前記端部が折り曲げ加工された成形体を製造する方法であって、前記ワークの折り曲げ位置に、前記ワークにおける前記端部以外の部分が加熱されることを抑制する遮熱板を当接させる遮熱板の配置工程と、前記遮熱板が当接した前記ワークの前記端部を、熱風ヒーターで加熱しつつ、赤外線ヒーターで加熱する加熱工程と、加熱された前記ワークの前記端部を折り曲げ加工する折り曲げ工程と、を含む、成形体の製造方法を提供する。
【０００９】
また、本発明は、ワークの端部を折り曲げ加工して、前記端部が折り曲げ加工された成形体を製造する装置であって、前記ワークの前記端部を加熱する加熱ユニットと、前記加熱ユニットによる加熱時に前記ワークの折り曲げ位置に当接して前記ワークにおける前記端部以外の部分が加熱されることを抑制する遮熱板を含む遮熱ユニットと、を備えており、前記加熱ユニットは、前記遮熱板が当接した前記ワークの前記端部を加熱する熱風ヒーターと、前記熱風ヒーターによる加熱と並行して前記ワークの前記端部を加熱する赤外線ヒーターとを含む、成形体の製造装置を提供する。
【発明の効果】
【００１０】
本発明によれば、端部が折り曲げ加工された成形体をさらに効率良く製造することが可能な技術を提供することができる。
【図面の簡単な説明】
【００１１】
【図１】本発明の一実施形態の製造装置の一例の概略構成を示す説明図である。
【図２】図１に示す製造装置における加熱ユニットの概略構成を示す説明図である。
【図３Ａ】図１に示す製造装置の動作を説明するための図であり、ワークの端部を加熱する際の状態を表す図である。
【図３Ｂ】図３Ａに示す状態の後の製造装置の動作を説明するための図であり、加熱されたワークの端部を折り曲げようとしている状態を表す図である。
【図３Ｃ】図３Ｂに示す状態の後の製造装置の動作を説明するための図であり、ワークの端部を遮熱板に支持させて折り曲げている状態を表す図である。
【図３Ｄ】図３Ｃに示す状態の後の製造装置の動作を説明するための図であり、折り曲げられた端部をさらに折り曲げて折り返している状態を表す図である。
【発明を実施するための形態】
【００１２】
以下、本発明の実施の形態について説明するが、本発明は以下の実施の形態に限定されるものではない。
【００１３】
＜製造方法＞
本発明の一実施形態の成形体の製造方法（以下、「本実施形態の製造方法」と記載することがある。）は、ワークの端部を折り曲げ加工して、端部が折り曲げ加工された成形体を製造する方法である。本実施形態の製造方法は、遮熱板を配置する工程（遮熱板の配置工程）と、ワークの端部を加熱する工程（加熱工程）と、加熱されたワークの端部を折り曲げ加工する工程（折り曲げ工程）とを含む。
【００１４】
「ワーク」とは、本実施形態の製造方法における加工対象物を意味し、本実施形態の製造方法によって得られる成形体の折り曲げ加工される前の状態の物である。ワークは、その端部が加熱工程によって軟化して折り曲げ加工されやすい状態になるものであれば特に限定されない。好適なワークとしては、合成樹脂を含むシート材を挙げることができる。シート材にはフィルムも含まれ、シート材の厚さは、例えば０．０５ｍｍ〜１０ｍｍ程度のものを使用することができる。
【００１５】
より好適なワークとしては、例えば、自動車等の車両におけるルーフパネルの室内面側に設けられる成形天井や、車両におけるラゲージトリム及びドアトリム等に用いられるシート材を挙げることができる。そのようなシート材として、基材層と、基材層の表面側（室内面側）に設けられた表皮層とを含む積層シート材がさらに好適である。基材層としては、ウレタン樹脂が好ましく、ウレタン樹脂層の両面にガラス繊維マットを積層した構成のものがより好ましい。表皮層としては、クロスシート、不織布シート、及び熱可塑性樹脂シート等の表皮材、並びにそれらの表皮材の裏面にポリエチレンフォーム、ポリウレタンフォーム、及びポリプロピレンフォーム等のクッション層を裏打ちした積層表皮材等を挙げることができる。また、上記積層シート材は、基材層の裏面側（室外面側）に不織布（裏面不織布）が設けられたものがさらに好ましく、裏面不織布としては、ポリエステル繊維不織布が好適である。
【００１６】
遮熱板の配置工程では、ワークの折り曲げ位置に、ワークにおける端部以外の部分が加熱されることを抑制する遮熱板を当接させる。本実施形態の製造方法は、遮熱板の配置工程を含むため、この工程の後に行われる加熱工程における熱風ヒーター及び赤外線ヒーターを併用した熱によって、ワークの端部以外の部分が変形するのを抑制することができる。また、遮熱板をワークの折り曲げ位置に当接させるため、加熱工程の後の折り曲げ工程において、遮熱板をワークの折り曲げ位置に当接させた状態としておくことにより、遮熱板をワークの折り曲げ支持板としても機能させることができる。
【００１７】
加熱工程では、遮熱板が当接したワークの端部を、熱風ヒーターで加熱しつつ、赤外線ヒーターで加熱する。ワークの折り曲げ位置に遮熱板が当接した状態で加熱工程を行うことにより、ワークにおける端部以外の部分が加熱されることを抑制しつつ、ワークの端部を加熱することができる。ワークの端部の折り曲げ加工に先立って、ワークの端部を加熱することにより、ワークの端部を軟化させることができ、ワークの端部を折り曲げ加工しやすい状態にすることができる。
【００１８】
また、本実施形態の製造方法では、熱風ヒーター及び赤外線ヒーターを併用することによって、特許文献１に開示されたようなヒータブロックのみによる加熱や、特許文献２に開示されたような熱風のみによる加熱に比べて、ワークの端部をより効率良く加熱することができる。したがって、本実施形態の製造方法では、上述した従来技術における加熱手法や赤外線ヒーターのみによる加熱手法に比べて、ワークの端部の加熱時間を短縮することができ、ワークの端部を折り曲げ加工しやすくするのに十分な熱を短時間で付与することができる。それにより、本実施形態の製造方法は、ワークの端部を折り曲げ加工するのに要するサイクルタイムの短縮化にも貢献することができる。
【００１９】
ワークの端部を「熱風ヒーターで加熱しつつ、赤外線ヒーターで加熱する」ことは、熱風ヒーターによる加熱と、赤外線ヒーターによる加熱とが同時に行われる状態を含むことを意味する。したがって、熱風ヒーターによる加熱と赤外線ヒーターによる加熱の開始及び終了のタイミングがずれていてもよい。本実施形態の製造方法では、遮熱板が当接したワークの端部を、赤外線ヒーターで加熱する前に熱風ヒーターで加熱し、その熱風ヒーターで加熱している間に赤外線ヒーターで加熱することが好ましい。これにより、ワークの端部をより効率良く加熱することができ、加熱時間のさらなる短縮化、ひいては、サイクルタイムのさらなる短縮化に貢献することができる。
【００２０】
熱風ヒーター及び赤外線ヒーターの大きさ、形状、及び設置数等は、特に限定されないが、熱風ヒーターの吹き出し口及び赤外線ヒーターを、ワークの端部における折り曲げ加工が施される領域に沿って配置して、加熱工程を行うことが好ましい。これによって、ワークの端部における折り曲げ加工が施される領域の長さ方向の全長にわたって、略均一に加熱することができ、加熱ムラを抑制することができる。
【００２１】
ここで、ヒーターをワークの端部における折り曲げ加工が施される領域に沿って配置する場合、その領域の大きさ（長さ）に対応したヒーターを作製するよりも、その領域の大きさに比して小さい既存製品のヒーターを複数個並べて配置する方が、ヒーターの調達にかかるコスト面で良い場合がある。そのような観点から、複数の赤外線ヒーターをワークの端部における折り曲げ加工が施される領域に沿って並べて配置し、その複数の赤外線ヒーターのみでワークの端部を加熱すると、赤外線ヒーターの継ぎ目部分での隙間に起因して、加熱ムラが生じやすい。そのような場合に生じる加熱ムラも、熱風ヒーターを併用することで、抑制することができる。
【００２２】
また、ワークの端部における折り曲げ加工が施される領域の一部に加熱ムラが生じると、製造された成形体における折り曲げ加工された端部において段差が生じることがある。そのような段差の発生も、熱風ヒーターの吹き出し口及び赤外線ヒーターを、ワークの端部における折り曲げ加工が施される領域に沿って配置して加熱工程を行うことにより、抑制することができる。さらに、上記段差がある成形体を、車両のルーフパネルにおける成形天井等に用いると、段差による影響で光漏れが生じることがあるが、そのような光漏れ発生の抑制にも貢献することができる。
【００２３】
加熱工程で用いる赤外線ヒーターは、発熱体に電流を流して赤外線を放射させることを利用したヒーターである。好適な赤外線ヒーターとしては、発熱体としてのハロゲンランプから発生される放射熱を利用したハロゲンヒーター；発熱体として炭素繊維を用いたカーボンヒーター；発熱体としてセラミックスを用いたセラミックヒーター等を挙げることができる。これらのなかでも、ハロゲンヒーターがより好ましい。
【００２４】
加熱工程では、赤外線ヒーターによる熱をワークの端部へ向けて反射する反射材をさらに用いることが好ましい。このような反射材を用いることにより、赤外線ヒーターから発生する熱をワークの端部へ向かう方向に集中させやすくなることから、ワークの端部をさらに効率良く加熱することができる。反射材としては、赤外線ヒーターとは別体の反射板及び反射傘、並びに赤外線ヒーターに一体的に設けられた反射板及び反射膜等を挙げることができる。反射材の材質としては、例えば、セラミックス（例えばＴｉＯ２、Ｔａ２Ｏ５、及びＳｉＯ２等の１種又は２種以上）、及びアルミニウム等を挙げることができる。
【００２５】
加熱工程における加熱温度及び加熱時間は、前述のワークの材質、厚さ、及び大きさ等に応じて適宜決定し得る。例えば、ワークとして、前述の車両の成形天井に好適なシート材が用いられる場合では、そのシート材（ワーク）の表面温度が１８０〜３００℃（より好ましくは２００〜２８０℃、さらに好ましくは２２０〜２５０℃）となる加熱温度に設定することが好ましい。この場合、熱風ヒーター及び赤外線ヒーターの併用による加熱温度は、熱風ヒーターの吹き出し口（出口）付近において、３５０〜６００℃であることが好ましく、４００〜５７０℃であることがより好ましく、４２０〜５５０℃であることがさらに好ましい。また、この場合の熱風ヒーター及び赤外線ヒーターの併用による加熱時間は、２〜２０秒であることが好ましく、５〜１５秒であることがより好ましく、５〜１０秒であることがさらに好ましい。
【００２６】
折り曲げ工程では、加熱工程によって加熱されたワークの端部を折り曲げ加工する。この折り曲げ工程によって、ワークの端部が折り曲げ加工された成形体を得ることができる。折り曲げ加工においても、前述の遮熱板をワークの折り曲げ位置に当接させた状態に維持しておくことが好ましい。それにより、遮熱板をワークの折り曲げ支持板として用いることもできる。すなわち、折り曲げ工程は、ワークの折り曲げ位置から、ワークの端部を遮熱板に支持させて遮熱板の面に沿って折り曲げる工程を含むことが好ましい。遮熱板をそのままワークの折り曲げ支持板としても利用することで、遮熱と折り曲げの支持とを一度の動作で行うことが可能となり、生産効率の向上、ひいては製造コストの削減に寄与することができる。
【００２７】
折り曲げ工程では、ワークの端部を押圧するブロックを用いることが好ましい。そのブロックにより、まず、ワークの折り曲げ位置から、端部を遮熱板に支持させて遮熱板の面に沿って折り曲げる工程（１次折り曲げ工程）を行うことが好ましい。そして、その１次折り曲げ工程後、遮熱板を後退させ、１次折り曲げ工程で折り曲げられた端部を、ブロックでさらに折り曲げて折り返す工程（２次折り曲げ工程）を行うことが好ましい。このような１次折り曲げ工程と２次折り曲げ工程とを含む折り曲げ工程によって、綺麗な仕上がりで折り曲げ加工が施された端部を有する成形体をさらに効率良く得ることができる。
【００２８】
２次折り曲げ工程は、１次折り曲げ工程で折り曲げられた端部の根元である角部（ワークの折り曲げ位置に生じた角部）に規制部材を押し当てた状態で行われることが好ましい。これにより、２次折り曲げ工程において、さらに折り曲げて折り返す際に、規制部材が折り曲げられた部位の角部を押さえ、角部の高さが規制されることにより、製造される成形体における角部の高さを一定にすることができ、品質のばらつきを抑えることができる。ブロック及び規制部材は互いに着脱可能とすることができる。この場合、加熱工程及び１次折り曲げ工程においては、これらが一体化しており、一体に移動させることができ、かつ、２次折り曲げ工程においては、規制部材がブロックから分離して別体化し、それぞれ個別に移動させることができる。
【００２９】
＜製造装置＞
次に、上述の本実施形態の製造方法の実行に好適な本発明の一実施形態の成形体の製造装置（以下、「本実施形態の製造装置」と記載することがある。）について説明する。
【００３０】
本実施形態の製造装置は、ワークの端部を折り曲げ加工して、端部が折り曲げ加工された成形体を製造する装置である。この製造装置は、ワークの端部を加熱する加熱ユニットと、加熱ユニットによる加熱時にワークの折り曲げ位置に当接してワークにおける端部以外の部分が加熱されることを抑制する遮熱板を含む遮熱ユニットとを備える。また、加熱ユニットは、遮熱板が当接したワークの端部を加熱する熱風ヒーターと、熱風ヒーターによる加熱と並行してワークの端部を加熱する赤外線ヒーターとを含む。
【００３１】
本実施形態の製造装置は、遮熱板を含む遮熱ユニットを備えるため、加熱ユニットにおける熱風ヒーター及び赤外線ヒーターを併用した熱によって、ワークの端部以外の部分が変形するのを抑制することができる。また、遮熱板をワークの折り曲げ位置に当接させるため、ワークの端部を加熱した後に折り曲げる際に、遮熱板をワークの折り曲げ位置に当接させた状態としておくことにより、遮熱板にワークの折り曲げ支持板としての役割も持たせることができる。
【００３２】
本実施形態の製造装置は、遮熱板が当接したワークの端部を加熱する熱風ヒーターと、熱風ヒーターによる加熱と並行してワークの端部を加熱する赤外線ヒーターを含む加熱ユニットを備えるため、ワークの端部をより効率良く加熱することができる。熱風ヒーター及び赤外線ヒーターの併用によって、特許文献１に開示されたようなヒータブロックのみによる加熱や、特許文献２に開示されたような熱風のみによる加熱、さらには赤外線ヒーターのみによる加熱に比べて、ワークの端部の加熱時間を短縮することができる。
【００３３】
上記ヒータブロックによる加熱の場合では、高温のヒータブロックをワークの端部に接触させることから、温度が高すぎることに起因して生じ得るワークの炭化を抑制するために、ヒータブロックの温度をワークの材質に応じて可能な限り低くすることが望ましい。しかし、そうすると、加熱時間が長くなる傾向にある。また、ワークの端部にヒータブロックを押し当てる際にワークをヒータブロックとともに挟持する支持部材が必要となり、動作も複雑になりやすい。さらに、加熱の効率を高める観点から、ヒータブロックとワークの端部とを隙間無く接触させることが望ましいが、そのためにはヒータブロック及び支持部材をワークの形状に合致した三次元形状に加工する必要がある。これに対し、本実施形態の製造装置では、熱風ヒーター及び赤外線ヒーターを併用した加熱ユニットにより、加熱ユニットがワークに非接触の状態で、ワークの端部をより効率良く加熱することができる。そのため、ワークの端部の炭化を抑制でき、また、上述の支持部材を必要としないことから、動作の簡略化及び装置コストの抑制にも貢献することができる。
【００３４】
上記熱風のみによる加熱の場合も、加熱の効率に改善の余地があり、また、消費電力が高く、ワーク１つ当たりに使用するエネルギー量が高くなる傾向にある。これに対し、本実施形態の製造装置では、熱風ヒーター及び赤外線ヒーターを併用した加熱ユニットにより、ワークの端部をより効率良く加熱することができ、ワークの端部の加熱時間を短縮することができる。そのため、結果として、ワーク１つ当たりに使用するエネルギー量の低減に貢献することができる。
【００３５】
本実施形態の製造装置では、加熱ユニットにおける熱風ヒーターの吹き出し口と赤外線ヒーターとが、ワークの端部における折り曲げ加工が施される領域に沿って配置可能に並べて設けられていることが好ましい。これによって、ワークの端部における折り曲げ加工が施される領域の長さ方向の全長にわたって、均一に加熱することができ、加熱ムラを抑制することができる。また、加熱ムラの抑制によって、前述の通り、製造された成形体における折り曲げ加工された端部での段差の発生も抑制することができ、さらに、段差がある状態の成形体を成形天井に用いる場合に生じ得る光漏れ発生の抑制にも貢献することができる。
【００３６】
加熱ユニットにおける赤外線ヒーターとしては、前述の通り、ハロゲンヒーター、カーボンヒーター、及びセラミックヒーター等が好ましい。これらのなかでも、加熱ユニットは、赤外線ヒーターとして、ハロゲンヒーターを含むことがより好ましい。
【００３７】
また、上述の通り、加熱効率を高める観点から、加熱ユニットは、赤外線ヒーターによる熱をワークの端部へ向けて反射する反射材を含むことが好ましい。加熱ユニットは、赤外線ヒーターにおけるワークの端部側とは反対側に、例えば、赤外線ヒーターとは別体（外付け）の反射材（例えば反射板及び反射傘等）や、赤外線ヒーターに一体的に設けられた反射材（例えば内面が鏡面処理された石英管；石英管内に設けられた反射板；石英管の外表面にコーティングされた反射膜等）を備えることができる。部品点数を抑える観点から、加熱ユニットにおける赤外線ヒーターとしては、反射材としての反射膜が設けられた赤外線ヒーターがより好ましく、反射膜が設けられたハロゲンヒーター（反射膜付きハロゲンヒーター）がさらに好ましい。
【００３８】
本実施形態の製造装置では、上述した加熱ユニット及び遮熱ユニットのほか、加熱ユニットで加熱されたワークの端部を押圧することにより折り曲げるブロックを含む折り曲げユニットをさらに備えることが好ましい。この折り曲げユニットにおけるブロックの動作により、前述の製造方法で説明した１次折り曲げ工程及び２次折り曲げ工程を実行することが可能であり、それにより、綺麗な仕上がりで折り曲げ加工が施された端部を有する成形体をさらに効率良く得ることができる。
【００３９】
以下、車両の成形天井に適用される成形体の製造例を主に挙げて、本実施形態の製造装置のさらに好ましい構成及び動作等の一例について、図面を参照しながら説明する。なお、各図においては、図面の見易さの観点から、一部の符号の図示を省略した箇所がある。
【００４０】
図１は、本実施形態の製造装置の一例の概略構成を示す説明図であり、その一例の製造装置１０の初期状態を表す図である。図２は、図１に示す製造装置１０における加熱ユニット２０の概略構成を示す説明図であり、加熱ユニット２０におけるヒーター駆動シリンダ２３側から見た赤外線ヒーター２２及び熱風ヒーター２１の概略平面図である。図３Ａ〜Ｄ（これらをまとめて図３と記載することがある。）は、図１に示す製造装置１０の動作を説明するための図である。以下の説明では、ワーク７０を載置する受け台６０が固定された設置台６１の面に略平行な面方向（図１及び図３の左右方向及び図面垂直方向に沿う面方向、並びに図２の図面垂直方向及び左右方向に沿う面方向）を「水平方向」と記載することがある。また、設置台６１の面に対して略垂直な方向（図１〜３の上下方向）を「鉛直方向」と記載することがある。
【００４１】
図１に示す製造装置１０は、ワーク７０の端部７１を加熱する加熱ユニット２０と、加熱ユニット２０による加熱時にワーク７０の折り曲げ位置７１ａに当接する遮熱板３１を含む遮熱ユニット３０とを備える。加熱ユニット２０は、遮熱板３１が当接したワーク７０の端部７１を加熱する熱風ヒーター２１と、熱風ヒーター２１による加熱と並行してワーク７０の端部７１を加熱する赤外線ヒーター２２とを含む。
【００４２】
本実施形態の製造装置における加熱ユニット及び遮熱ユニットは、上昇及び下降移動可能に構成されていることが好ましい。図示を省略するが、図１に示す製造装置１０においては、加熱ユニット２０及び遮熱ユニット３０は、移動機構によって鉛直方向に上昇及び下降移動可能な可動台（図１における加熱ユニット２０の上方に配置される）に取り付け具等を介して取り付けられている。これにより、加熱ユニット２０及び遮熱ユニット３０は、鉛直方向（図１の上下方向）に上昇及び下降移動可能となっている。
【００４３】
また、本実施形態の製造装置における加熱ユニットは、熱風ヒーター及び赤外線ヒーターが遮熱板に近づく方向及び遮熱板から離れる方向に移動可能に構成されていることが好ましい。具体的には、それらの方向に熱風ヒーター及び赤外線ヒーターを移動させることが可能な駆動シリンダ（ヒーター駆動シリンダ）が加熱ユニットに設けられていることがより好ましい。図１に示す製造装置１０では、加熱ユニット２０にヒーター駆動シリンダ２３が設けられている。ワーク７０の端部７１を加熱する際には、ヒーター駆動シリンダ２３の駆動によって、熱風ヒーター２１及び赤外線ヒーター２２を遮熱板３１やワーク７０側に近づく鉛直方向（図１及び図３の下方向）に下降させ、ワーク７０の端部７１に近い位置で加熱することができる（図３Ａ参照）。また、加熱されたワーク７０の端部７１を折り曲げ加工する際には、ヒーター駆動シリンダ２３の駆動によって、熱風ヒーター２１及び赤外線ヒーター２２を遮熱板３１やワーク７０から離れる鉛直方向（図１及び図３の上方向）に上昇させることができる（図３Ｂ参照）。
【００４４】
一方、本実施形態の製造装置における遮熱ユニットは、遮熱板をワークの端部の折り曲げ位置に進行する方向及び折り曲げ位置から離れる方向に移動可能に構成されていることが好ましい。具体的には、それらの方向に遮熱板を移動させることが可能な駆動シリンダ（遮熱板駆動シリンダ）が遮熱ユニットに設けられていることがより好ましい。図１に示す製造装置１０では、遮熱ユニット３０に遮熱板駆動シリンダ３２が設けられている。ワーク７０の端部７１の加熱時等には、遮熱板駆動シリンダ３２の駆動によって、遮熱板３１をワーク７０の折り曲げ位置７１ａに進行する水平方向（図１及び図３の左方向）に移動させ、折り曲げ位置７１ａに当接させて配置することができる（図３Ａ参照）。また、ワーク７０の端部７１をさらに折り曲げて折り返す際や折り曲げ加工が終了した際には、遮熱板駆動シリンダ３２の駆動によって、遮熱板３１をワーク７０の折り曲げ位置から離れる水平方向（図１及び図３の右方向）に移動させることができる（図３Ｄ参照）。
【００４５】
加熱ユニット２０は、図２に示すように、熱風が流れる配管２１ａ、熱風を吹き出すノズル部２１ｂ及びその吹き出し口２１ｃを備える熱風ヒーター２１と、熱風ヒーター２１におけるノズル部２１ｂ側に配置された赤外線ヒーター２２とを備える。加熱ユニット２０における熱風ヒーター２１の吹き出し口２１ｃと赤外線ヒーター２２とは、ワーク７０の端部７１における折り曲げ加工が施される領域（図２の左右方向）に沿って配置可能に並べて設けられていることが好ましい。これによって、ワーク７０の端部７１における折り曲げ加工が施される領域の長さ方向（図２の左右方向）の全長にわたって、略均一に加熱することができ、ワーク７０の端部７１の加熱ムラを抑制することができる。
【００４６】
赤外線ヒーター２２は、Ｌ字型や、図２に示すようなコの字型（横長Ｕ字型）の形状に形成されたものが好ましい。これらのような形状の赤外線ヒーターによれば、その赤外線ヒーターの端部側に設けられることの多い封止部及びリード線等の部品を熱風ヒーター２１の吹き出し口２１ｃからある程度離すことができる。また、コの字型の赤外線ヒーター２２は、長さ方向に沿う水平方向の部分にフィラメント等の熱源を備えていることで、上述のように、ワーク７０の端部７１における折り曲げ加工が施される領域に沿って配置可能に構成することができる。
【００４７】
さらに、図２に示す赤外線ヒーター２２には、前述の反射膜付きハロゲンヒーターを用いることが好ましい。この反射膜付きハロゲンヒーターとしては、例えば、フィラメントや不活性ガス等が封入された石英管の外表面における、ワーク７０の端部７１側に配置される面とは反対側の面（半面程度）に反射膜を形成したハロゲンヒーターを用いることができる。このような反射膜付きハロゲンヒーターを用いることによって、そのハロゲンヒーターから発生する熱をワーク７０の端部７１へ向かう方向に集中させ、ワーク７０の端部７１をさらに効率良く加熱することができる。
【００４８】
なお、図２においては、５つの熱風ヒーター２１の各吹き出し口２１ｃと２つの赤外線ヒーター２２が、略平行に並べて設けられているが、熱風ヒーター２１及び赤外線ヒーター２２の大きさ、形状、及び設置数等は、図２に示されるような態様に限定されない。
【００４９】
本実施形態の製造装置は、加熱ユニット及び遮熱ユニットとともに、ワークの押さえ部材を備えることが好ましく、上昇及び下降移動可能に構成された押さえ部材を備えることがより好ましい。図１に示す製造装置１０は、ワーク７０の押さえ部材４１、及び棒状の取り付け具４２を含む押さえユニット４０を備えている。この押さえユニット４０における押さえ部材４１は、棒状の取り付け具４２等により、上述した可動台（不図示）に取り付けられており、加熱ユニット２０及び遮熱ユニット３０とともに、鉛直方向に上昇及び下降（図１の上下方向）移動可能となっている。押さえ部材４１を備える製造装置１０によって、押さえ部材４１でワーク７０を抑えることができるため、ワーク７０の端部７１を加熱及び折り曲げ加工する際に、ワーク７０の位置ずれを防止することができ、品質の安定した成形体を製造することができる。なお、図面の見易さの観点から、後述する図３Ａ〜Ｄにおいては、取り付け具４２の図示を省略する。
【００５０】
本実施形態の製造装置は、折り曲げ加工される前のワークを載置する受け台を備えることが好ましい。図１に示す製造装置１０は、設置台６１に固定された受け台６０を備えており、その受け台６０にワーク７０を載置することができる。
【００５１】
本実施形態の製造装置は、上述の加熱ユニットで加熱されたワークの端部を押圧することにより折り曲げるブロックを含む折り曲げユニットをさらに備えることが好ましい。図１に示す製造装置１０は、設置台６１上に設けられた折り曲げユニット５０を備えている。この折り曲げユニット５０は、ブロック５１と、板状の規制部材５２と、ブロック５１及び規制部材５２を水平方向（図１の左右方向）に移動させる第１シリンダ５３と、ブロック５１を鉛直方向（図１の上下方向）に移動させる第２シリンダ５４とを備えている。このような折り曲げユニット５０によって、前述した１次折り曲げ工程と２次折り曲げ工程とを含む折り曲げ工程を容易に実行することができる。
【００５２】
本実施形態の製造装置は、加熱ユニットにおける熱風ヒーター及び赤外線ヒーターに対して加熱を実行及び停止させ、それらヒーターの作動を制御する制御部（制御盤）を備えることが好ましい。また、制御部は、前述した移動機構（可動台）や各シリンダに対して動作を実行及び停止させ、それらの駆動を制御することが好ましい。制御部は、さらに、各ヒーターによる加熱の温度及び時間等、並びに移動機構や各シリンダの移動量及び動作のタイミング等の制御を行うことが好ましい。図１に示す製造装置１０も、そのような制御部（不図示）を備えている。制御部は、例えば、電源ユニット、ＣＰＵユニット、入力ユニット、出力ユニット、及び記憶ユニット等を備えることができる。制御部は、電源に接続され、制御部によって制御する対象部品とはケーブルで接続され、それらに電気や信号を送ることができる。
【００５３】
次に、図１に示す製造装置１０の好ましい動作態様について、図１及び図３Ａ〜Ｄを参照しながら説明する。
【００５４】
図１に示す初期状態から、前述の可動台（それに取り付けられた押さえユニット４０、加熱ユニット２０、及び遮熱ユニット３０）を、受け台６０に載置させたワーク７０に向かって、押さえ部材４１がワーク７０を押さえるまで鉛直方向に下降させる。次いで、遮熱ユニット３０における遮熱板駆動シリンダ３２を駆動させて遮熱板３１をワーク７０の端部７１の折り曲げ位置７１ａに進行する水平方向に移動させ、遮熱板３１をワーク７０の端部７１の折り曲げ位置７１ａに当接させて配置する。このようにして、前述の遮熱板３１の配置工程が実行される。また、加熱ユニット２０におけるヒーター駆動シリンダ２３を駆動させて、熱風ヒーター２１及び赤外線ヒーター２２を遮熱板３１に近づく鉛直方向に下降させる。これらの動作により、製造装置１０は図３Ａに示すような状態となる。
【００５５】
図３Ａに示す状態において、ワーク７０の端部７１を熱風ヒーター２１で加熱しつつ、赤外線ヒーター２２で加熱する工程（前述の加熱工程）を行う。このとき、遮熱板３１は、ワーク７０の折り曲げ位置７１ａに当接しているため、ワーク７０における端部７１以外の部分７２が加熱されることを抑制することができる。また、加熱ユニット２０によりワーク７０の端部７１を加熱する際には、ヒーター駆動シリンダ２３により各ヒーター２１、２２を下降させる前（図３Ａに示す状態となる前）に、予め熱風ヒーター２１を作動させておき、各ヒーター２１、２２を下降させてから（図３Ａに示す状態で）、赤外線ヒーター２２を作動させることが好ましい。そのような動作により、ワーク７０の端部７１をより効率良く加熱することができる。その観点から、製造装置１０の作動時においては、熱風ヒーター２１の温度を常に高めた状態としておき、ヒーター駆動シリンダ２３による各ヒーター２１、２２の下降、赤外線ヒーター２２の点灯及び消灯、並びにヒーター駆動シリンダ２３による各ヒーター２１、２２の上昇（図３Ｂ参照）という順に繰り返し行うことがより好ましい。
【００５６】
加熱ユニット２０でワーク７０の端部７１を加熱することにより、ワーク７０の端部７１が軟化し、折り曲げ加工しやすい状態となった後、ヒーター駆動シリンダ２３を駆動させ、熱風ヒーター２１及び赤外線ヒーター２２を遮熱板３１から離れる鉛直方向（図３の上方向）に移動させる。また、それと同時又はその直後に、折り曲げユニット５０における第２シリンダ５４を駆動させてブロック５１を上昇させる。これらの動作により、製造装置１０は図３Ｂに示すような状態となる。上述のように、熱風ヒーター２１及び赤外線ヒーター２２を遮熱板３１から離れる鉛直方向（図３の上方向）に移動させ、かつ、折り曲げユニット５０におけるブロック５１を鉛直方向に上昇移動させることにより、ワーク７０の端部７１を折り曲げ加工する動作（前述の折り曲げ工程）に素早く移行することができる。
【００５７】
次いで図３Ｃに示すように、第２シリンダ５４の駆動により上昇したブロック５１と、板状の規制部材５２とを、折り曲げユニット５０における第１シリンダ５３の駆動によって、ワーク７０に近づく水平方向であってワーク７０を折り曲げる方向（図３の右方向）に移動させる。これにより、ワーク７０の端部７１を折り曲げる工程（前述の１次折り曲げ工程）を実行することができる。このとき、遮熱板３１をワーク７０の折り曲げ位置７１ａに当接させた状態に維持させておくことにより、ワーク７０の端部７１を遮熱板３１に支持させて遮熱板３１の面に沿って折り曲げることができる。また、規制部材５２もブロック５１とともにワーク７０側に前進させることにより、折り曲げられた端部７１の根元である角部（ワークの折り曲げ位置に生じた角部）７１ｂに規制部材５２を押し当てた状態にすることができる。
【００５８】
そして、図３Ｄに示すように、遮熱板駆動シリンダ３２を駆動させて遮熱板３１をワーク７０の端部７１の折り曲げ位置から後退する水平方向（図３Ｄの右方向）に移動させるとともに、ワーク７０側に前進したブロック５１をさらに第２シリンダ５４の駆動によって、規制部材５２とは分離させた状態で鉛直方向に下降させる。これにより、前述の２次折り曲げ工程が実行され、折り曲げられた端部７１をさらに折り曲げて折り返すことができ、綺麗な仕上がりで折り曲げ加工が施された端部７１を有する成形体をさらに効率良く得ることができる。このとき、１次折り曲げ工程で折り曲げられた端部７１の根元である角部７１ｂを規制部材５２が押さえているため、角部７１ｂの高さが規制されることにより、製造される成形体における角部７１ｂの高さを一定にすることができ、品質のばらつきを抑えることができる。
【００５９】
ワーク７０の端部７１を折り返した後、第２シリンダ５４を駆動させて、ブロック５１を鉛直方向に上昇させた後、第１シリンダ５３を駆動させてブロック５１及び規制部材５２をワーク７０から離れる水平方向（図３の左方向）に移動させ、再度、第２シリンダ５４を駆動させてブロック５１を鉛直方向に下降させる。このようにして、折り曲げユニット５０が初期状態に戻る。そして、前述の可動台をワーク７０から離れる鉛直方向（図３の上方向）に上昇させ、可動台に取り付けられた押さえユニット４０、加熱ユニット２０、及び遮熱ユニット３０が初期状態に戻る。最後に、ワーク７０を受け台６０から取り外し、端部７１が綺麗な仕上がりで折り曲げ加工された成形体を得ることができる。
【００６０】
以上詳述した本実施形態の製造方法及び製造装置によれば、熱風ヒーター及び赤外線ヒーターの併用と、遮熱板の使用によって、ワークにおける端部以外の部分の加熱による変形を抑制しつつ、ワークの端部をより効率良く加熱することができる。したがって、本実施形態の製造方法及び製造装置によれば、従来技術に比べて、加熱時間及びサイクルタイムを短縮することができ、端部が折り曲げ加工された成形体をさらに効率良く製造することが可能である。
【００６１】
具体的には、赤外線ヒーター２２として前述の反射膜付きハロゲンヒーターを備えた図１に示す製造装置１０、並びにその製造装置１０と比べて、赤外線ヒーターを備えていないことのみで相違する装置（すなわち、ワークの端部を熱風ヒーターのみで加熱する装置；「比較装置Ａ」と称する）、及び加熱ユニット２０の代わりに前述のヒータブロックを備えた装置（「比較装置Ｂ」と称する）を用いて比較試験を行った。その結果、比較装置Ａでは、加熱時間が１７〜２５秒かかり、サイクルタイムが５７秒であり、比較装置Ｂでは、加熱時間が５０秒かかり、サイクルタイムが１２０秒であった。これに対し、製造装置１０では、加熱時間が７〜１０秒で、サイクルタイムが３９秒であり、比較装置Ａ及びＢに比べて、加熱時間及びサイクルタイムが短く、端部が折り曲げ加工された成形体をさらに効率良く製造できたことが確認された。ここで、上記サイクルタイムは、ワーク７０を受け台６０に載置してから、端部７１の折り曲げ加工が完了したワーク７０を受け台６０から取り出すまでにかかった時間である。
【００６２】
以上の通り、本発明の一実施形態の製造方法及び製造装置は、次のような構成を採ることが可能である。
［１］ワークの端部を折り曲げ加工して、前記端部が折り曲げ加工された成形体を製造する方法であって、前記ワークの折り曲げ位置に、前記ワークにおける前記端部以外の部分が加熱されることを抑制する遮熱板を当接させる遮熱板の配置工程と、前記遮熱板が当接した前記ワークの前記端部を、熱風ヒーターで加熱しつつ、赤外線ヒーターで加熱する加熱工程と、加熱された前記ワークの前記端部を折り曲げ加工する折り曲げ工程と、を含む、成形体の製造方法。
［２］前記熱風ヒーターの吹き出し口及び前記赤外線ヒーターを、前記ワークの前記端部における折り曲げ加工が施される領域に沿って配置して、前記加熱工程を行う上記［１］に記載の成形体の製造方法。
［３］前記赤外線ヒーターにハロゲンヒーターを用いる上記［１］又は［２］に記載の成形体の製造方法。
［４］前記赤外線ヒーターによる熱を前記ワークの前記端部へ向けて反射する反射材をさらに用いる上記［１］〜［３］のいずれかに記載の成形体の製造方法。
［５］前記折り曲げ工程は、前記ワークの前記折り曲げ位置から、前記端部を前記遮熱板に支持させて前記遮熱板の面に沿って折り曲げる工程を含む、上記［１］〜［４］のいずれかに記載の成形体の製造方法。
［６］前記折り曲げ工程は、前記ワークの前記端部を押圧するブロックにより、前記ワークの前記折り曲げ位置から、前記端部を前記遮熱板に支持させて前記遮熱板の面に沿って折り曲げる１次折り曲げ工程と、前記１次折り曲げ工程後、前記遮熱板を後退させ、前記１次折り曲げ工程で折り曲げられた前記端部を、前記ブロックでさらに折り曲げて折り返す２次折り曲げ工程と、を含む、上記［１］〜［５］のいずれかに記載の成形体の製造方法。
［７］ワークの端部を折り曲げ加工して、前記端部が折り曲げ加工された成形体を製造する装置であって、前記ワークの前記端部を加熱する加熱ユニットと、前記加熱ユニットによる加熱時に前記ワークの折り曲げ位置に当接して前記ワークにおける前記端部以外の部分が加熱されることを抑制する遮熱板を含む遮熱ユニットと、を備えており、前記加熱ユニットは、前記遮熱板が当接した前記ワークの前記端部を加熱する熱風ヒーターと、前記熱風ヒーターによる加熱と並行して前記ワークの前記端部を加熱する赤外線ヒーターとを含む、成形体の製造装置。
［８］前記加熱ユニットにおける前記熱風ヒーターの吹き出し口と前記赤外線ヒーターとが、前記ワークの前記端部における折り曲げ加工が施される領域に沿って配置可能に並べて設けられている上記［７］に記載の成形体の製造装置。
［９］前記加熱ユニットは、前記赤外線ヒーターとして、ハロゲンヒーターを含む上記［７］又は［８］に記載の成形体の製造装置。
［１０］前記加熱ユニットは、前記赤外線ヒーターによる熱を前記ワークの前記端部へ向けて反射する反射材を含む上記［７］〜［９］のいずれかに記載の成形体の製造装置。
［１１］前記加熱ユニットは、前記赤外線ヒーターとして、前記反射材としての反射膜が設けられたハロゲンヒーターを含む上記［１０］に記載の成形体の製造装置。
［１２］前記加熱ユニットで加熱された前記ワークの前記端部を押圧することにより折り曲げるブロックを含む折り曲げユニットをさらに備える上記［７］〜［１１］のいずれかに記載の成形体の製造装置。
【符号の説明】
【００６３】
１０  成形体の製造装置
２０  加熱ユニット
２１  熱風ヒーター
２２  赤外線ヒーター
２３  ヒーター駆動シリンダ
３０  遮熱ユニット
３１  遮熱板
３２  遮熱板駆動シリンダ
４０  押さえユニット
４１  押さえ部材
４２  取り付け具
５０  折り曲げユニット
５１  ブロック
５２  規制部材
５３  第１シリンダ
５４  第２シリンダ
６０  受け台
７０  ワーク
７１  端部
【図１】
2020062838.tif 000003
【図２】
2020062838.tif 000004
【図３Ａ】
2020062838.tif 000005
【図３Ｂ】
2020062838.tif 000006
【図３Ｃ】
2020062838.tif 000007
【図３Ｄ】
2020062838.tif 000008